(57)【要約】  本発明は容器の開放の時に、容器本体から栓が離脱されなくて、紛失が防止される長所を有するとともに、栓を取らなくても空回転が防止されて、直接飲用または内容物の吐出の時に栓が使用者の顔に触れたり、内容物が栓にこぼれる虞がないので、使用感が顕著に向上し、汚染が防止される栓紛失及び空回転防止容器に関する。  これを実現するための本発明は、容器本体の注出口と栓本体に相互対応するねじ部が形成され、上記栓は、容器本体からの離脱防止のための固定リングが、栓本体と一つ以上の連結部を通じて一体に形成される通常の容器において、上記容器本体には、容器の開放の時、栓の空回転を選択的に阻止するために、上記固定リングが着脱可能に凹凸結合されるリング把持部を備え、上記固定リングとリング把持部を互いに着脱可能にする凹凸結合構造は、栓の固定リングと容器本体に形成される係止突起に互いに対応して、一側には係止リムが突出して形成され、他側には外力によって上記係止リムが弾力的に着脱可能な凹溝が形成される段差結合型、または、容器本体のリング把持部と栓の固定リングに相互対応してねじ山が形成されるねじ結合型、または、容器本体のリング把持部と栓の固定リングに相互対応して、傾斜して形成される傾斜部が備えられる傾斜結合型で形成されることを特徴とする。
2010527865.tif 000002
【特許請求の範囲】
【請求項１】
容器本体（１０）の注出口と栓本体（３１）に相互対応するねじ部（１１）（３１１）が形成され、上記栓（３０）は、容器本体（１０）からの離脱防止のための固定リング（３５）が栓本体（３１）と一つ以上の連結部（３３）を通じて一体に形成される通常の容器において、
上記容器本体（１０）には、容器の開放の時、栓の空回転を選択的に阻止するために、上記固定リング（３５）が着脱可能に凹凸結合されるリング把持部（１３）を備え、上記固定リング（３５）とリング把持部（１３）を互いに着脱可能にする凹凸結合構造は、
栓の固定リング（３５）と容器本体（１０）に形成される係止突起（１３１）に互いに対応して、一側には係止リム（ａ）が突出して形成され、他側には外力によって上記係止リムが弾力的に着脱可能な凹溝（ｂ）が形成される段差結合型（１Ａ）、
または、容器本体のリング把持部（１３）と栓の固定リング（３５）に、相互対応してねじ山（ｓ）が形成されるねじ結合型（１Ｂ）、
または、容器本体のリング把持部（１３）と栓の固定リング（３５）に相互対応して、傾斜して形成される傾斜部（ｔ）が備えられる傾斜結合型（１Ｃ）とで構成されることを特徴とする栓紛失及び空回転防止容器。
【請求項２】
上記ねじ結合型（１Ｂ）は、上記容器本体（１０）からの固定リング（３５）の離脱防止のために、固定リング（３５）の内周面と容器本体のねじ部（１１）の上部に相互対応するストッパ（３５２）（１２）が突出して形成され、上記ストッパ（３５２）（１２）は、栓の閉方向への回転を妨がないようにラチェットポール形に形成されることを特徴とする請求項１に記載の栓紛失及び空回転防止容器。
【請求項３】
上記ねじ結合型（１Ｂ）は、栓本体（３１）と固定リング（３５）に相互対応する凹凸ロック部（３１６）（３５６）が形成されることを特徴とする請求項１または請求項２に記載の栓紛失及び空回転防止容器。
【請求項４】
上記固定リング（３５）の外周面には滑り止め凹凸（３５１）または係止片（３５３）が形成されることを特徴とする請求項１に記載の栓紛失及び空回転防止容器。
【請求項５】
上記連結部（３３）に折線（３３１）が形成されることを特徴とする請求項１に記載の栓紛失及び空回転防止容器。
【発明の詳細な説明】
【技術分野】
【０００１】
本発明は栓紛失及び空回転防止容器に関し、さらに詳しくは、容器の開放の時に、容器本体から栓が離脱されなくて紛失が防止される長所を有するとともに、栓を手で取らなくても空回転が防止されて、直接飲用または内容物の吐出の時に、栓が使用者の顔に触れたり、内容物が栓にこぼれる虞がないので、使用感が顕著に向上し、汚染が防止される栓紛失及び空回転防止容器に関する。
【背景技術】
【０００２】
一般に、生水や牛乳のような食飲料を含めて、オイル、塗料、化学製品などの液状物質を保管する容器は全て注出口が形成される本体と、上記本体の注出口を開閉する栓を備え、注出口に対する栓の開閉着脱は螺合式または弾性を有する係止端を利用する加圧式が普通である。
【０００３】
また、容器の規模が大きくなったり、気密を強化するために、弾性を有する樹脂材の内部キャップを備えることもある。
【０００４】
このような容器は、内容物を取り出すなどのために、栓を容器本体から分離させて、注出口を開いておいてから再結合することを繰り返し、この場合、栓は室内の床などの地面に放置され、これによって、周りの環境を複雑にさせ、異物によって栓が汚染されるだけでなく、栓を紛失することが頻繁に発生する。
【０００５】
また、容器の栓の紛失は、容器に盛られる内容物を汚染させて漏出させる虞があり、特に、揮発性の化学製品の場合には、火事が発生する危険もある。
【０００６】
このような問題点に対する代案として、従来の容器１００では、図１３に示したように、栓１３０に固定リング１３５が連結部１３３を通じて一体に形成され、上記固定リング１３５が容器本体１１０の注出口１１１に嵌められる構成が用いられている。
【０００７】
このような構成は、容器の開放の時、栓１３０が連結部１３３及び固定リング１３５によって容器本体に取り付けられた状態を保持するので、栓が紛失される虞のない便宜性がある。
【０００８】
しかし、上記従来技術は、図１４に示したように、栓本体１３０に連結部１３３及び固定リング１３５が一体に形成し、上記固定リング１３５は容器本体１１０に空回転するように構成されることによって、開けた栓は、内容物の吐出の時、自重によって、本体の注出口の外縁に沿って固定リング１３５が回転移動されて下方に位置される。
【０００９】
従って、容器本体に口をつけて内容物を直接飲む場合には、栓が使用者の口やあごに接触して不快感を感じるだけではなく、面倒であり、他の容器に注ぐ場合には、こぼれた内容物が栓を汚してて吐出を干渉する問題点がある。
【００１０】
そこで、使用者は、栓に内容物が付かないように、片手で栓を取るなどの不便さがあった。
【発明の概要】
【発明が解決しようとする課題】
【００１１】
本発明は上述した問題点を解消するために創出されたもので、本発明は、容器の開放の時に、容器本体から栓が離脱されなくて、紛失が防止される長所を有するとともに、栓を取らなくても空回転が防止されて、直接飲用または内容物の吐出の時に、栓が使用者の顔に触れたり、内容物が栓にこぼれる虞がないので、使用感が顕著に向上し、汚染が防止される栓紛失及び空回転防止容器を提供することを目的とする。
【課題を解決するための手段】
【００１２】
上述した目的を達するために、本発明に係る栓紛失及び空回転防止容器は、容器本体の注出口と栓本体に相互対応するねじ部が形成され、上記栓は、容器本体からの離脱防止のための固定リングが、栓本体と一つ以上の連結部を通じて一体に形成される通常の容器において、上記容器本体には、容器の開放の時、栓の空回転を選択的に阻止するために、上記固定リングが着脱可能に凹凸結合されるリング把持部を備え、上記固定リングとリング把持部とを互いに着脱可能にする凹凸結合構造は、栓の固定リングと容器本体に形成される係止突起に互いに対応して、一側には係止リムが突出して形成され、他側には外力によって上記係止リムが弾力的に着脱可能な凹溝が形成される段差結合型、または、容器本体のリング把持部と栓の固定リングに相互対応してねじ山が形成されるねじ結合型、または、容器本体のリング把持部と栓の固定リングに相互対応して、傾斜して形成される傾斜部が備えられる傾斜結合型で構成されることを特徴とする。
【００１３】
本発明の好ましい一特徴として、上記ねじ結合型は、上記容器本体からの固定リングの離脱防止のために、固定リングの内周面と容器本体のねじ部の上部に相互対応するストッパが突出して形成され、上記ストッパは、栓の閉方向の回転を妨がないようにラチェットポール形に形成される。
【００１４】
本発明の好ましい他の特徴として、上記ねじ結合型は、栓本体と固定リングに相互対応する凹凸ロック部が形成されることにある。
【００１５】
本発明の好ましい他の特徴として、上記固定リングの外周面には、滑り止め凹凸または係止片が形成されることにある。
【００１６】
本発明の好ましい他の特徴として、上記連結部に折線が形成されることにある。
【発明の効果】
【００１７】
本発明に係る栓紛失及び空回転防止容器は、開放の時に、容器本体から栓が離脱されなくて、紛失が防止される長所を有するとともに、栓を保持しなくても空回転が防止されて、直接飲用または内容物の吐出の時に栓が使用者の顔に触れたり、内容物が栓にこぼれる虞がないので、使用感が顕著に向上し、汚染が防止される優れた效果を奏する。
【図面の簡単な説明】
【００１８】
【図１】本発明に係る一実施形態の構成を示す分解斜視図。
【図２】図１の結合斜視図。
【図３】図２の要部断面図。
【図４】図３の使用状態を示すシーケンス図。
【図５】本発明に係る一実施形態の要部断面図。
【図６】本発明に係る一実施形態の要部断面図。
【図７】本発明に係る一実施形態の要部断面図。
【図８】本発明に係る一実施形態の断面構成及び可変状態図。
【図９】図８のＡ−Ａ線による断面図。
【図１０】本発明に係る一実施形態の要部断面図。
【図１１】本発明に係る一実施形態の栓の構成図。
【図１２】本発明に係る一実施形態の栓の構成図。
【図１３】従来技術における一実施形態の図面。
【図１４】従来技術における一使用状態の図面。
【発明を実施するための形態】
【００１９】
以下、本発明の栓紛失及び空回転防止容器に対する実施形態を添付図面を参照して詳しく説明する。
【００２０】
図１は本発明に係る一実施形態の構成を示す分解斜視図で、図２は図１の結合斜視図で、図３は図２の要部断面図で、図４は図３の使用状態を示すシーケンス図である。
【００２１】
図１乃至図４に示しているように、本発明に係る一実施形態の栓紛失及び空回転防止容器１は、容器本体１０の注出口と栓本体３１に相互対応するねじ部１１、３１１が形成され、上記栓３０は、容器本体１０からの離脱防止のための固定リング３５が栓本体３１と一つ以上の連結部３３を通じて一体に形成される通常の容器において、上記容器本体１０には、容器の開放の時、栓の空回転を選択的に阻止するために、上記固定リング３５が着脱可能に凹凸結合されるリング把持部１３を備え、上記固定リング３５とリング把持部１３とが互いに着脱可能にする凹凸結合構造は、栓の固定リング３５と容器本体１０に形成される係止突起１３１に互いに対応して、一側には係止リムａが突出して形成され、他側には外力によって上記係止リムが弾力的に着脱可能な凹溝ｂが形成される段差結合型１Ａ（図１乃至図７参照）、または、容器本体のリング把持部１３と栓の固定リング３５に相互対応してねじ山ｓが形成されるねじ結合型１Ｂ（図８、９  参照）、または、容器本体のリング把持部１３と栓の固定リング３５に相互対応して、傾斜して形成される傾斜部ｔを備える傾斜結合型１Ｃ（図１０参照）で形成される。
【００２２】
上記段差結合型１Ａで、係止リムａと凹溝ｂは、図１乃至図４に示したように、側面に着脱可能に形成されてもよいが、図５に示したように、固定リング３５が上部から下方に圧入脱着されてもよく、図６に示したように、固定リング３５が下方から上方に圧入脱着されるように構成されてもよく、この他にも多様に形成されることができる。
【００２３】
また、図７に示したように、上記係止突起１３１と固定リング３５との間に相互対応する突出部ｃと溝ｄが形成されることもできる。
【００２４】
このような構成によって、樹脂材からなる上記固定リング３５をリング把持部１３に圧入させると、樹脂材の弾性によって、凹溝ｂに係止リムａまたは溝ｄに突出部ｃが載置される凹凸結合からなり、固定リング３５が回転が防止されるように結束される。
【００２５】
本発明に係る一実施形態として、図８及び図９に示したように、上記ねじ結合型１Ｂは、容器本体１０からの固定リング３５の離脱防止のために、固定リング３５の内周面と容器本体のねじ部１１の上部に相互対応するストッパ３５２、１２が突出して形成され、上記ストッパ３５２、１２は、栓の閉方向への回転を妨がないようにラチェットポール形に形成されることが好ましい。
【００２６】
また、上記ねじ結合型１Ｂは、栓本体３１と固定リング３５に相互対応する凹凸ロック部３１６、３５６が形成されることが好ましい。
【００２７】
本発明に係る一実施形態として、上記固定リング３５の外周面には、滑り止め凹凸３５１、または係止片３５３が形成されることが好ましい。
【００２８】
また、上記連結部３３に折線３３１が形成されることが好ましい。
【００２９】
また、栓３０が大きい場合、図１１に示したように、上記連結部３３は複数形成してもよく、図１２に示したように、固定リング３５から栓に向かって徐徐に広がる上は広く下は狭く形成してもよい。
【００３０】
上記上は広く下は狭く形成された連結部３３は、栓の連結を安定的にするためである。
このような構成を有する本発明に係る栓紛失及び空回転防止容器１の使用方法及び作用状態を詳しく説明する。
【００３１】
容器本体のリング把持部１３と栓の固定リング３５との間の凹凸結合構造が、上記段差結合型１Ａ及び傾斜結合型１Ｃである場合、容器本体の注出口のねじ部１１に栓３０が閉められた状態で、栓の固定リング３５は本体の係止突起１３１などによって、本体１０からの離脱が防止されるが、上記リング把持部１３では離脱されて回転が自由になるように位置する（図４Ａ参照）。
【００３２】
従って、栓３０の回転開放動作を干渉しない。
【００３３】
また、栓３０の開放直後の固定リング３５は、回転が自由であるので（図４Ｂ参照）、この状態で容器を傾ける場合、従来技術と同様に、栓の自重による空回転が発生する。
【００３４】
本発明は、この段階で上記固定リング３５をリング把持部１３に圧入して結束させることによって、固定リング３５は、空回転が防止されて固定される（図４Ｃ参照）。
【００３５】
固定リング３５の圧入結束は、樹脂材からなる固定リング３５とリング把持部１３の弾性によって容易に行われる。
【００３６】
また、栓３０を再度閉める場合には、上記固定リング３５をリング把持部１３から離脱される方向に押して結束を解除し、栓を閉める回転動作を干渉しないようにする。
【００３７】
また、ねじ結合型１Ｂの場合には、容器本体１０に栓３０を強制に組み立てて結合した後（図８Ａ、Ｂ参照）、容器の開放のために、栓３０を回転させて上げれば、栓本体３１は容器本体のねじ部１１から離脱され、連結部３３によって栓本体３１とともに上って来た固定リング３５は、本体の注出口にねじ結合状態になるので、外力が加えられない限り、空回転が防止される。
【００３８】
以後、上記凹凸ロック部３１６、３５６を解除した後、栓本体３１を後方に反り返ると、栓本体３１と固定リング３５を連結する連結部の折線３３１が折れながら、栓本体はさらに安定した開放状態を保持する（図８Ｃ参照）。
【００３９】
この場合、容器本体のねじ部１１と固定リング３５に備えられたストッパ１２、３５２が互いに係止されることによって、容器本体１０からの固定リング３５の離脱が安全に阻止されるとともに、空回転防止機能も強化される。
【００４０】
以上のように、本発明は、栓３０の開放の時、固定リング３５が容器本体１０に固定されて回転が防止されるので、栓３０が本体１０の何れか一側に固定される配置方向性を有して、栓３０を開けて内容物の吐出の時、栓が自重によって下方に空回転されることが防止される。
【００４１】
また、上記折線３３１を利用して、連結部３３が折曲され、栓３０が反り返られた状態で、配置方向が固定されることによって、栓を取らなくても、例えば使用者が飲料瓶などの容器に口をつけて直接飲用する時、栓が顔に触れる虞がなく、他の容器に取り出す時にも内容物を栓につけなくて、使用感が顕著に向上し、汚染が防止される。
【００４２】
このような本発明は、栓３０が一重の一般の栓は勿論、多様な形態の栓に適用されることは当業者であれば自明である。
【００４３】
以上、本発明の好ましい実施形態を添付した図面を参照して説明した。ここで、本明細書及び特許請求の範囲に用いられる用語や単語は、一般的で、辞書的な意味に限定して解釈されてはならず、本発明の技術思想に符合する意味と概念に解釈すべきである。従って、本明細書に記載された実施形態と図面に示した構成は、本発明の最も好ましい一実施形態に過ぎず、本発明の技術思想を代弁するものではないので、本出願時点において、これらを代替することができる多様な均等物と変形例があり得ることを理解すべきである。
【産業上の利用可能性】
【００４４】
上記本発明に係る栓紛失及び空回転防止容器は、開放の時に、容器本体から栓が離脱されなくて、紛失が防止される長所を有するとともに、栓を取らなくても空回転が防止されて、直接飲用または内容物の吐出の時に、栓が使用者の顔に触れたり、内容物が栓でこぼれる虞がないので、使用感が顕著に向上し、汚染が防止される。
【符号の説明】
【００４５】
１０  容器本体
１１  ねじ部
１２  ストッパ
１３  リング把持部
１３１  係止突起
ａ  係止リム
ｂ  凹溝
ｃ  突出部
ｄ  溝
ｓ  ねじ山
ｔ  傾斜部
３０  栓
３１  栓本体
３１６  ロック部
３３  連結部
３５  固定リング
３５２  ストッパ
３５６  ロック部
【図１】
2010527865.tif 000003
【図２】
2010527865.tif 000004
【図３】
2010527865.tif 000005
【図４】
2010527865.tif 000006
【図５】
2010527865.tif 000007
【図６】
2010527865.tif 000008
【図７】
2010527865.tif 000009
【図８】
2010527865.tif 000010
【図９】
2010527865.tif 000011
【図１０】
2010527865.tif 000012
【図１１】
2010527865.tif 000013
【図１２】
2010527865.tif 000014
【図１３】
2010527865.tif 000015
【図１４】
2010527865.tif 000016
【国際調査報告】
2010527865.tif 000017
2010527865.tif 000018